(57)【要約】      （修正有）【課題】ペットが急に走り出しても強い衝撃が加わりにくく、ペットが引き綱を引っ張ってもずり落ちることなくフィット感を維持したままでいることができ、またペットが様々な方向に走り出しても自然な歩行や走行ができ、なおかつ装着が簡単なペット散歩用具を提供する。【解決手段】人体の腰回りに配置され、両端部には、他のベルト状部材を移動自在に貫通させる第１の環状部材１４ａ，１４ｂがそれぞれ設けられた第１のベルト状部材１１と、切れ目の無い環状に形成されており、各第１の環状部材１４ａ，１４ｂの双方を貫通して第１のベルト状部材１１の両端部を連結させてなる第２のベルト状部材と、一端側が第２のベルト状部材を挿入して第２のベルト状部材に対して移動自在な環状部１９ａであって、他端側がペットの引き綱を装着可能な装着部１９ｂである、第２の環状部材１９とを具備する。【選択図】図３
2011244734.tif 000002
【特許請求の範囲】
【請求項１】
人体の腰回りに配置され、両端部には、他のベルト状部材を移動自在に貫通させる第１の環状部材がそれぞれ設けられた第１のベルト状部材と、
切れ目の無い環状に形成されており、各前記第１の環状部材の双方を貫通して第１のベルト状部材の両端部を連結させてなる第２のベルト状部材と、
一端側が第２のベルト状部材を挿入して第２のベルト状部材に対して移動自在な環状部であって、他端側がペットの引き綱を装着可能な装着部である、第２の環状部材とを具備することを特徴とするペット散歩用具。
【請求項２】
前記第１のベルト状部材は、中途部または前記両端部のうちのいずれか一方において、バックルによって着脱可能に設けられていることを特徴とする請求項１記載のペット散歩用具。
【請求項３】
各前記第１の環状部材のうちの何れか一方と前記バックルとが兼用となっていることを特徴とする請求項２記載のペット散歩用具。
【請求項４】
前記第１の環状部材のうちのいずれか他方は、第１のベルト状部材の長さ調整手段と兼用となっていることを特徴とする請求項３記載のペット散歩用具。
【請求項５】
前記第１のベルト状部材には、ウエストバッグが設けられていることを特徴とする請求項１〜請求項４のうちのいずれか１項記載のペット散歩用具。
【請求項６】
前記ウエストバッグは、第１のベルト状部材の中途部に設けられ、第１のベルト状部材の一部を構成するように設けられていることを特徴とする請求項５記載のペット散歩用具。
【請求項７】
前記ウエストバッグの両端部には、人体と第１のベルト状部材との間に配置されて人体への第１のベルト状部材の食い込みを防止するための食い込み防止部材が設けられていることを特徴とする請求項５または請求項６記載のペット散歩用具。
【発明の詳細な説明】
【技術分野】
【０００１】
本発明は、ペットを散歩させる際に用いられる散歩用具に関する。
【背景技術】
【０００２】
犬等のペットを散歩させる際に、引き綱を手で持たずに飼い主のベルト等に装着し、飼い主の手をフリーにするスタイルが従来より知られている。これによれば、ペットと一緒に飼い主もウォーキングやジョギングを楽しむことができる。
【０００３】
ペットの引き綱を装着させることができるベルトなどの散歩用具については、種々の構成が提案されている。
例えば、特許文献１に開示されているベルトは、飼い主の腰回りに装着することができ、このベルトに引き綱を装着できるホルダーを備えたものである。
【０００４】
特許文献２には、飼い主の腰回りに装着できるベルトに対して、このベルトの円周上を３６０度自由に移動できるコネクタを装着し、このコネクタに引き綱を装着させる構成が開示されている。
さらに、特許文献３には、飼い主の腰回りに装着できるベルトに、飼い主の肩を通すことができる肩装着部を設け、引き綱をベルト及び肩装着部に対して一体に設ける構成が開示されている。
【先行技術文献】
【特許文献】
【０００５】
【特許文献１】特開平９−２７１２８７号公報
【特許文献２】特開２００４−２５４６７８号公報
【特許文献３】特開２００５−２７８４３０号公報
【発明の概要】
【発明が解決しようとする課題】
【０００６】
特許文献１及び特許文献２に開示されているような散歩用具は、引き綱が急激に引っ張られると、その衝撃が飼い主に直接伝わってしまう。このため飼い主が腰回りを痛めたり、また転んでしまうことも考えられる。飼い主に衝撃が加わるということは反作用によりペットにも衝撃が及ぶため、ペットと飼い主の双方にとって強い衝撃がかからないようにする構造が求められているという課題がある。
さらに、引き綱は飼い主の腰から斜め下向きに引っ張られるので、ベルトが腰回りよりも下側にずり落ちてしまい、飼い主にとって歩行や走行がしにくくなるという課題もある。
【０００７】
特許文献３に開示されているような散歩用具は、引き綱が急激に引っ張られてもベルトと肩装着部にその力が分散されるようになっており、強い衝撃は加わりにくい構造ではある。しかし、この構造では、ベルト及び肩装着部に対して、引き綱が予め一体に構成されている。このため、散歩の際には、散歩前に装着していた引き綱を取り外して一体に構成された引き綱を装着し直す必要があり、装着に手間がかかるという課題がある。
さらに、特許文献３の構成では、ペットが様々な方向に走り出したときには、その方向に対して飼い主も向き直らなくてはならず、飼い主にとって自然な歩行や走行ができないという課題もある。
【０００８】
そこで本発明は上記課題を解決すべくなされ、その目的とするところは、ペットが急に走り出しても強い衝撃が加わりにくく、ペットが引き綱を引っ張ってもずり落ちることなくフィット感を維持したままでいることができ、またペットが様々な方向に走り出しても自然な歩行や走行ができ、なおかつ装着が簡単であるペット散歩用具を提供することにある。
【課題を解決するための手段】
【０００９】
本発明にかかるペット散歩用具によれば、人体の腰回りに配置され、両端部には、他のベルト状部材を移動自在に貫通させる第１の環状部材がそれぞれ設けられた第１のベルト状部材と、切れ目の無い環状に形成されており、各前記第１の環状部材の双方を貫通して第１のベルト状部材の両端部を連結させてなる第２のベルト状部材と、一端側が第２のベルト状部材を挿入して第２のベルト状部材に対して移動自在な環状部であって、他端側がペットの引き綱を装着可能な装着部である、第２の環状部材とを具備することを特徴としている。
【００１０】
この構成を採用することによる作用は以下の通りである。
第１のベルト状部材の両端部の間に、環状の第２のベルト状部材が配置される。すなわち、散歩をする人の腰回りには、第１のベルト状部材と第２のベルト状部材とが連結されたものが装着される。そして、第２の環状部材の装着部にペットの引き綱を取り付けることで、散歩をする人はペットの引き綱から手を離した状態で散歩することができる。また、引き綱の取り付けも極めて容易に行える。
ペットが急に走り出したりして引き綱が急に引っ張られた場合、引き綱を引っ張る力は第２の環状部材の環状部から第２のベルト状部材に伝達される。第２のベルト状部材は、第１のベルト状部材に設けられた２つの第１の環状部材に掛け渡されているので、２つの第１の環状部材に引き綱を引っ張る力が伝達される。このため第２のベルト状部材は第２の環状部材が取り付けられている側に伸びて、なおかつ第１のベルト状部材の両端部に均等に引っ張られる力が伝達される。このため、強い衝撃が直接人体に伝わりにくく、人体及びペットに衝撃による悪影響を及ぼすことがない。また、第２の環状部材は第２のベルト状部材を自由に移動できるので、ペットがどの方向に走り出したとしても、そのペットが引っ張る力は、２つの第１の環状部材に均等に伝達されるので、散歩をする人は急に方向を変えることがなく、自然な歩行や走行ができる。また、ペットによって引き綱が接続された第２のベルト状部材の人体から離れた側が引き下げられたとしても、第１のベルト状部材は引き下げられることがなく、フィット感を維持したままウォーキングやジョギングをすることができる。
【００１１】
また、前記第１のベルト状部材は、中途部または前記両端部のうちのいずれか一方において、バックルによって着脱可能に設けられていることを特徴としている。
この構成によれば、第１のベルト状部材を人体に装着することが容易となる。
【００１２】
また、各前記第１の環状部材のうちの何れか一方と前記バックルとが兼用となっていることを特徴としてもよい。
この構成によれば、部品点数の削減を図ることができる。
【００１３】
また、前記第１の環状部材のうちのいずれか他方は、第１のベルト状部材の長さ調整手段と兼用となっていることを特徴としてもよい。
この構成によっても、部品点数の削減を図ることができる。
【００１４】
前記第１のベルト状部材には、ウエストバッグが設けられていることを特徴としてもよい。
この構成によれば、散歩の際に必要な道具などをウエストバッグに収納させておくことができるので便利である。また、第１のベルト状部材に衝撃が加わったとしても、ウエストバッグでその衝撃を吸収することも可能である。
【００１５】
また、前記ウエストバッグは、第１のベルト状部材の中途部に設けられ、第１のベルト状部材の一部を構成するように設けられていることを特徴としてもよい。
【００１６】
さらに、前記ウエストバッグの両端部には、人体と第１のベルト状部材との間に配置されて人体への第１のベルト状部材の食い込みを防止するための食い込み防止部材が設けられていることを特徴としてもよい。
この構成によれば、第１のベルト状部材が人体に食い込んでしまわないように、食い込み防止部材においてその力を分散させることができる。
【発明の効果】
【００１７】
本発明のペット散歩用具は、ペットが急に走り出しても強い衝撃が加わりにくく、またペットが引っ張ってもずり落ちることなくフィット感を維持することができ、さらにペットが様々な方向に走り出しても自然な歩行や走行ができ、なおかつ装着が簡単である。
【図面の簡単な説明】
【００１８】
【図１】本発明に係るペット散歩用具の使用例を示す説明図である。
【図２】ペット散歩用具の斜視図である。
【図３】ペット散歩用具の背面図である。
【図４】ペット散歩用具の正面の部分的な構成を示す正面図である。
【図５】引き綱が引っ張られたときの動作を示す説明図である。
【図６】引き綱が様々な方向に引っ張られたときの動作を示す説明図である。
【発明を実施するための形態】
【００１９】
本発明に係るペット散歩用具の好適な実施の形態を以下に説明する。
図１は、本実施形態のペット散歩用具を、ペットＤと、ペットＤを散歩させる者Ｗ（以下、単に飼い主と称する）とに装着させた例を示す。
ペット散歩用具１０は、飼い主Ｗが引き綱３０を手に持たず、手を離したままでペットＤと一緒に散歩することができる構成を採用しており、飼い主ＷがペットＤと一緒にウォーキングやジョギングなどを楽しむことができる。
【００２０】
図２には、図１に示した本実施形態におけるペット散歩用具の斜視図を示す。図３には、ペット散歩用具をウエストバッグ側からみた背面図を示す。図４は、ペット散歩用具を装着したところの正面図を示す。
ペット散歩用具１０は、飼い主Ｗの腰回りに装着するための第１のベルト状部材１１と、第１のベルト状部材１１の両端部に掛け渡された第２のベルト状部材１２とを有している。このため、第１のベルト状部材１１は、第２のベルト状部材１２によってその両端部が連結される状態と成っている。また第２のベルト状部材１２は、切れ目がない輪（環）状に形成されている。
【００２１】
なお、本実施形態では、第１のベルト状部材１１の中途部にウエストバッグ２０が設けられており、ウエストバッグ２０は第１のベルト状部材１１と一体となって飼い主Ｗの腰回りに装着される。ウエストバッグ２０は、飼い主Ｗの側面若しくは背面側に位置するように設けられ、飼い主Ｗの正面（腹側）には、第２のベルト状部材１２が位置するように設けられる。飼い主Ｗの背中側にウエストバッグ２０が配置されることにより、ウエストバッグ２０によって引き綱３０が引っ張られることによる背中側への衝撃吸収効果も期待できる。
【００２２】
第１のベルト状部材１１の両端部には、それぞれ第２のベルト状部材１２を移動自由に通すための第１の環状部材１４ａ，１４ｂが設けられている。
本実施形態では、飼い主Ｗの右側に位置する第１の環状部材１４ａは、第１のベルト状部材１１を着脱するためのバックル１５がその機能を兼ねている。バックル１５の雄側１５ａのベルト側端部が第１のベルト状部材１１の一方の端部に取り付けられている。そして、バックル１５の雌側１５ｂのベルト側端部は環状に形成され、第２のベルト状部材１２が自由に移動可能となるよう第２のベルト状部材１２をフリーに貫通させている。
【００２３】
飼い主Ｗの左側に位置する第１の環状部材１４ｂは、第１のベルト状部材１１の長さ調整パーツ（アジャスター）１６がその機能を兼ねている。つまり、長さ調整パーツ１６はその両端部が環状に形成されており、一方の環状部分１６ａには第１のベルト状部材１１の端部を巻き付けて調整可能とし、他方の環状部分１６ｂには第２のベルト状部材１２が自由に移動可能となるように第２のベルト状部材１２をフリーに貫通させている。
【００２４】
第２のベルト状部材１２の、飼い主Ｗより離れた側の部位１２ａには、引き綱３０を取り付けるための装着部である第２の環状部材１９が、第２のベルト状部材１２に対して自由に移動可能となるように装着されている。第２の環状部材１９は、第２のベルト状部材１２の装着側が単なる環状に形成されて第２のベルト状部材１２をフリーに貫通させている環状部１９ａであり、引き綱３０の取り付け側がＤ字状に形成された装着部１９ｂである。このように、第２の環状部材１９は、いわゆるＤ環を採用している。このようなＤ環を採用することで、引き綱３０の端部にナスカン３２を装着しておけば、ナスカン３２を装着部１９ｂに容易に装着可能である。
【００２５】
図５には、引き綱が引っ張られた時の第２のベルト状部材と第１のベルト状部材の動作の様子を示し、図６には、引き綱が様々な方向に引っ張られたときの様子を示している。
引き綱３０が飼い主Ｗの正面に対してほぼ真っ直ぐに引っ張られたとき、第２の環状部材１９は、第２のベルト状部材１２の人体より離れた部位１２ａのほぼ中央に位置し、第２のベルト状部材１２を左右両側にほぼ均等に引っ張る。第２のベルト状部材１２の人体に近い部位１２ｂは、第１の環状部材１４ａ，１４ｂ側に移動して縮まり、縮まった分だけ人体より離れた部位１２ａが伸びる。このため、ペットが急に走り出したとしても、その衝撃を第２のベルト状部材１２の伸びで吸収可能である。また、第１のベルト状部材１１は、第２のベルト状部材１２の人体より離れた部位１２ａが引っ張ることにより、飼い主Ｗの腰回りを縮めるように動作するが、特に強い衝撃が飼い主Ｗに与えられることはない。
【００２６】
また、引き綱３０が飼い主Ｗの右側に引っ張られた時、図６の左図に示すように、Ｄ環である第２の環状部材１９が第２のベルト状部材１２を飼い主Ｗの右側に移動し、この位置で第２のベルト状部材１２を左右両側にほぼ均等に引っ張る。この後の動作は、正面から引っ張られたときと同様に、第２のベルト状部材１２の人体に近い部位１２ｂは、第１の環状部材１４ａ，１４ｂ側に移動して縮まり、縮まった分だけ人体より離れた部位１２ａが伸びる。このため、ペットが急に右方向に走り出したとしても、その衝撃を第２のベルト状部材１２の伸びで吸収可能である。
【００２７】
図６の真ん中の図は、図５と同様であるので説明は省略する。
さらに、引き綱３０が飼い主Ｗの左側に引っ張られた時、図６の右図に示すように、Ｄ環である第２の環状部材１９が第２のベルト状部材１２を飼い主Ｗの左側に移動し、この位置で第２のベルト状部材１２を左右両側にほぼ均等に引っ張る。この後の動作は、正面から引っ張られたときと同様に、第２のベルト状部材１２の人体に近い部位１２ｂは、第１の環状部材１４ａ，１４ｂ側に移動して縮まり、縮まった分だけ人体より離れた部位１２ａが伸びる。このため、ペットが急に右方向に走り出したとしても、その衝撃を第２のベルト状部材１２の伸びで吸収可能である。
【００２８】
以下、ウエストバッグ２０の構成について説明する。ウエストバッグ２０は、上面が開口するように構成され、この開口部はファスナー２２によって開閉可能である。
ウエストバッグ２０の側面には、ペットボトルを収納可能なポケット部２６を形成するとよい。
【００２９】
また、ウエストバッグ２０の左右両側には、第１のベルト状部材１１と人体との間に配置される食い込み防止部材２４が設けられている。食い込み防止部材２４は、半楕円、半円、半卵状のような形状に形成するとよい。食い込み防止部材２４は、第１のベルト状部材１１の締め付けによる人体への食い込みを防止するためのものであり、クッション性の高い素材を用いて形成されると好適であるが、どのような素材を用いても良い。
【００３０】
なお、上述した実施形態では、第１のベルト状部材１１にウエストバッグ２０を設ける構成を採用した。しかしながら、本発明のペット散歩用具では、必ずしもウエストバッグ２０を設けなくてもよい。
【００３１】
以上本発明につき好適な実施形態を挙げて種々説明したが、本発明はこの実施形態に限定されるものではなく、発明の精神を逸脱しない範囲内で多くの改変を施し得るのはもちろんである。
【符号の説明】
【００３２】
１０  ペット散歩用具
１１  第１のベルト状部材
１２  第２のベルト状部材
１４ａ，１４ｂ  第１の環状部材
１５  バックル
１６  調整パーツ
１９  第２の環状部材
２０  ウエストバッグ
２２  ファスナー
２４  食い込み防止部材
２６  ポケット部
３０  引き綱
３２  ナスカン
Ｄ   ペット
Ｗ   散歩をする者（飼い主）
【図１】
2011244734.tif 000003
【図２】
2011244734.tif 000004
【図３】
2011244734.tif 000005
【図４】
2011244734.tif 000006
【図５】
2011244734.tif 000007
【図６】
2011244734.tif 000008